(57)【要約】【課題】面倒な登録作業を要することなく画像を容易に追加でき、通信相手に関する画像としてなるべく異なる画像が表示され得るようにし、ユーザが表示画像に飽きることなく通信を行うことのできる画像表示装置を提供する。【解決手段】取得された画像に含まれる情報の発信者を示す発信者情報を検出する発信者検出手段と、固有情報記憶部の固有情報と発信者情報とを照合して、一致するか否かを判定する判定手段と、一致すると判定された固有情報と、発信者情報が検出された画像を関連付けて画像記憶部に記憶する記憶手段と、通信時に、通信相手に対応する固有情報を取得する通信時固有情報取得手段と、取得された固有情報に関連付けられた画像を画像記憶部から取得する関連画像取得手段と、設定された表示方法に基づいて、関連画像取得手段により取得された画像の表示制御を行う表示制御手段と、を備えることとする。【選択図】図５
2010263569.tif 000002
【特許請求の範囲】
【請求項１】
他の通信装置との通信時に、通信相手に対応する画像を表示部に表示する画像表示装置であって、
画像を取得する画像取得手段と、
前記通信相手を特定するための固有情報を少なくとも一つ記憶する固有情報記憶部から当該固有情報を取得する固有情報取得手段と、
前記画像取得手段により取得された画像を解析して、当該画像に含まれる情報の発信者を示す発信者情報を検出する発信者検出手段と、
前記固有情報取得手段により取得された固有情報と前記発信者検出手段により検出された前記発信者情報とを照合して、一致するか否かを判定する判定手段と、
前記判定手段により一致すると判定された固有情報と、前記発信者情報が検出された前記画像の少なくとも一部とを関連付けて画像記憶部に記憶する記憶手段と、
前記画像を表示する表示方法を設定する表示方法設定手段と、
前記他の通信装置との通信時に、前記通信相手に対応する、少なくとも一つの前記固有情報を取得する通信時固有情報取得手段と、
前記通信時固有情報取得手段により取得された前記固有情報に関連付けられた画像を前記画像記憶部から取得する関連画像取得手段と、
前記表示方法設定手段により設定された表示方法に基づいて、前記関連画像取得手段により取得された画像の表示制御を行う表示制御手段と、
を備えることを特徴とする画像表示装置。
【請求項２】
請求項１に記載の画像表示装置であって、
前記表示方法設定手段は、前記画像における前記発信者検出手段により検出された前記発信者情報を表示している部分を非表示とする表示方法、を設定することを特徴とする画像表示装置。
【請求項３】
請求項１に記載の画像表示装置であって、
前記画像における前記発信者検出手段により検出された前記発信者情報を表示している部分を削除した発信者部分削除画像を作成する削除画像作成手段、
を更に備え、
前記表示方法設定手段は、前記削除画像作成手段により作成された前記発信者部分削除画像を表示する表示方法、を設定することを特徴とする画像表示装置。
【請求項４】
請求項３に記載の画像表示装置であって、
前記記憶手段は、前記削除画像作成手段により作成された前記発信者部分削除画像を前記画像記憶部に記憶し、
前記表示制御手段は、前記発信者部分削除画像を表示する表示方法が設定された場合に、前記画像記憶部に記憶された前記発信者部分削除画像の表示制御を行うことを特徴とする画像表示装置。
【請求項５】
請求項１に記載の画像表示装置であって、
前記画像取得手段により取得された画像が複数のページで構成された画像であるか否かを判断する判断手段と、
前記判断手段により前記複数のページで構成された画像であると判断された当該画像における前記発信者情報を表示しているページを削除した発信者部分削除画像を作成する削除画像作成手段、
を更に備え、
前記表示方法設定手段は、前記削除画像作成手段により作成された前記発信者部分削除画像を表示する表示方法、を設定することを特徴とする画像表示装置。
【請求項６】
請求項３又は５に記載の画像表示装置であって、
前記表示方法設定手段は、前記削除画像作成手段により作成された前記発信者部分削除画像を、前記表示部における表示画面の全面に拡大して表示する表示方法、を設定することを特徴とする画像表示装置。
【請求項７】
請求項１乃至６の何れか一項に記載の画像表示装置であって、
前記判定手段により前記発信者情報が前記固有情報と一致しないと判定された場合に、当該発信者情報に基づいて新規に前記固有情報を作成する作成手段、
を更に備え、
前記記憶手段は、前記新規に作成された固有情報と、当該固有情報の基となった前記発信者情報が検出された前記画像の少なくとも一部とを関連付けて前記画像記憶部に記憶する、ことを特徴とする画像表示装置。
【請求項８】
請求項７に記載の画像表示装置であって、
前記発信者検出手段により複数の前記発信者情報が検出された場合に、
前記判定手段は、前記検出された全ての前記発信者情報について前記固有情報と照合して、一致するか否かを判定し、
前記作成手段は、前記判定手段により前記固有情報と一致しないと判定された前記発信者情報毎に、新規に前記固有情報を作成する、ことを特徴とする画像表示装置。
【請求項９】
請求項１乃至８の何れか一項に記載の画像表示装置であって、
前記表示方法設定手段は、前記通信相手に対応する前記固有情報に関連付けられた画像が前記画像記憶部により複数記憶されている場合には、当該複数の画像を、所定個数ずつ順次表示し、または、同時に表示する表示方法、を設定することを特徴とする画像表示装置。
【請求項１０】
他の通信装置との通信時に、通信相手に対応する画像を表示部に表示する画像表示装置における画像表示方法であって、
画像を取得する画像取得工程と、
前記通信相手を特定するための固有情報を少なくとも一つ記憶する固有情報記憶部から当該固有情報を取得する固有情報取得工程と、
前記画像取得工程により取得された画像を解析して、当該画像に含まれる情報の発信者を示す発信者情報を検出する発信者検出工程と、
前記固有情報取得工程により取得された固有情報と前記発信者検出工程により検出された前記発信者情報とを照合して、一致するか否かを判定する判定工程と、
前記判定工程により一致すると判定された固有情報と、前記発信者情報が検出された前記画像の少なくとも一部とを関連付けて画像記憶部に記憶する記憶工程と、
前記画像を表示する表示方法を設定する表示方法設定工程と、
前記他の通信装置との通信時に、前記通信相手に対応する、少なくとも一つの前記固有情報を取得する通信時固有情報取得工程と、
前記通信時固有情報取得工程により取得された前記固有情報に関連付けられた画像を前記画像記憶部から取得する関連画像取得工程と、
前記表示方法設定工程により設定された表示方法に基づいて、前記関連画像取得工程により取得された画像の表示制御を行う表示制御工程と、
を含むことを特徴とする画像表示方法。
【請求項１１】
コンピュータを、請求項１乃至９の何れか一項に記載の画像表示装置における各手段として機能させることを特徴とする画像表示用プログラム。
【発明の詳細な説明】
【技術分野】
【０００１】
本発明は、他の通信装置からの着信があった際や他の通信装置へ発信する際に、画像を表示する画像表示装置、画像表示方法及び画像表示用プログラムの技術分野に関する。
【背景技術】
【０００２】
従来、電話の着信時に、発信者の電話番号を電話機のディスプレイに表示して、発信者を容易に認識させる技術や、光や音や振動で着信したことを視覚的・聴覚的・触覚的に知らせる技術があった。
【０００３】
特許文献１には、電話帳に登録されている相手先に対して、顔写真等の画像を対応付けて登録し、電話帳に登録されている相手からの着信があった際、その発信者に対応付けられた画像を表示する電話装置が記載されている。これによって、視覚的効果を高めたり、発信者を容易に認識することができる。また、特許文献２には、着信時に、着信メロディを鳴動させるとともに、当該着信メロディに対応したアニメーションを表示させる電話機が記載されている。
【０００４】
しかしながら、上述した技術では、表示する画像は発信者毎に固定されており、発信者が同じであれば毎回同じ画像が表示されるので、ユーザが次第に飽きてくることがあった。また、これを避けるべく画像を変更しようとする場合には、画像の対応付けについて面倒な画像の変更登録作業が必要であった。
【０００５】
こうした点に鑑み、特許文献３においては、発信者との通信頻度、通信状態、会話支配率、発信者の個人情報、そのときの位置等に基づいて、発信者に対応する画像にエフェクトを付加して表示する技術が提案されている。
【先行技術文献】
【特許文献】
【０００６】
【特許文献１】特開２００１−２４７７６号公報
【特許文献２】特開２００１−１４８８８５号公報
【特許文献３】特開２００６−９４１９０号公報
【発明の概要】
【発明が解決しようとする課題】
【０００７】
しかしながら、特許文献３に記載の技術も、表示する画像それ自体については発信者毎に毎回同じものが選択される点で、他の技術と変わりがない。
【０００８】
そこで、本発明は、以上の点に鑑みてなされたものであり、その課題の一例は、面倒な登録作業を要することなく表示部に表示させる画像を容易に追加することができ、通信相手に関連する画像としてなるべく異なる画像が表示され得るようにし、延いてはユーザが表示される画像に飽きることなく通信を行うことのできる画像表示装置、画像表示方法及び画像表示用プログラムを提供することにある。
【課題を解決するための手段】
【０００９】
上記課題を解決するために、請求項１に記載の画像表示装置は、他の通信装置との通信時に、通信相手に対応する画像を表示部に表示する画像表示装置であって、画像を取得する画像取得手段と、前記通信相手を特定するための固有情報を少なくとも一つ記憶する固有情報記憶部から当該固有情報を取得する固有情報取得手段と、前記画像取得手段により取得された画像を解析して、当該画像に含まれる情報の発信者を示す発信者情報を検出する発信者検出手段と、前記固有情報取得手段により取得された固有情報と前記発信者検出手段により検出された前記発信者情報とを照合して、一致するか否かを判定する判定手段と、前記判定手段により一致すると判定された固有情報と、前記発信者情報が検出された前記画像の少なくとも一部とを関連付けて画像記憶部に記憶する記憶手段と、前記画像を表示する表示方法を設定する表示方法設定手段と、前記他の通信装置との通信時に、前記通信相手に対応する、少なくとも一つの前記固有情報を取得する通信時固有情報取得手段と、前記通信時固有情報取得手段により取得された前記固有情報に関連付けられた画像を前記画像記憶部から取得する関連画像取得手段と、前記表示方法設定手段により設定された表示方法に基づいて、前記関連画像取得手段により取得された画像の表示制御を行う表示制御手段と、を備えることを特徴とする。
【００１０】
請求項２に記載の画像表示装置は、請求項１に記載の画像表示装置であって、前記表示方法設定手段は、前記画像における前記発信者検出手段により検出された前記発信者情報を表示している部分を非表示とする表示方法、を設定することを特徴とする。
【００１１】
請求項３に記載の画像表示装置は、請求項１に記載の画像表示装置であって、前記画像における前記発信者検出手段により検出された前記発信者情報を表示している部分を削除した発信者部分削除画像を作成する削除画像作成手段、を更に備え、前記表示方法設定手段は、前記削除画像作成手段により作成された前記発信者部分削除画像を表示する表示方法、を設定することを特徴とする。
【００１２】
請求項４に記載の画像表示装置は、請求項３に記載の画像表示装置であって、前記記憶手段は、前記削除画像作成手段により作成された前記発信者部分削除画像を前記画像記憶部に記憶し、前記表示制御手段は、前記発信者部分削除画像を表示する表示方法が設定された場合に、前記画像記憶部に記憶された前記発信者部分削除画像の表示制御を行うことを特徴とする。
【００１３】
請求項５に記載の画像表示装置は、請求項１に記載の画像表示装置であって、前記画像取得手段により取得された画像が複数のページで構成された画像であるか否かを判断する判断手段と、前記判断手段により前記複数のページで構成された画像であると判断された当該画像における前記発信者情報を表示しているページを削除した発信者部分削除画像を作成する削除画像作成手段、を更に備え、前記表示方法設定手段は、前記削除画像作成手段により作成された前記発信者部分削除画像を表示する表示方法、を設定することを特徴とする。
【００１４】
請求項６に記載の画像表示装置は、請求項３又は５に記載の画像表示装置であって、前記表示方法設定手段は、前記削除画像作成手段により作成された前記発信者部分削除画像を、前記表示部における表示画面の全面に拡大して表示する表示方法、を設定することを特徴とする。
【００１５】
請求項７に記載の画像表示装置は、請求項１乃至６の何れか一項に記載の画像表示装置であって、前記判定手段により前記発信者情報が前記固有情報と一致しないと判定された場合に、当該発信者情報に基づいて新規に前記固有情報を作成する作成手段、を更に備え、前記記憶手段は、前記新規に作成された固有情報と、当該固有情報の基となった前記発信者情報が検出された前記画像の少なくとも一部とを関連付けて前記画像記憶部に記憶する、ことを特徴とする。
【００１６】
請求項８に記載の画像表示装置は、請求項７に記載の画像表示装置であって、前記発信者検出手段により複数の前記発信者情報が検出された場合に、前記判定手段は、前記検出された全ての前記発信者情報について前記固有情報と照合して、一致するか否かを判定し、前記作成手段は、前記判定手段により前記固有情報と一致しないと判定された前記発信者情報毎に、新規に前記固有情報を作成する、ことを特徴とする。
【００１７】
請求項９に記載の画像表示装置は、請求項１乃至８の何れか一項に記載の画像表示装置であって、前記表示方法設定手段は、前記通信相手に対応する前記固有情報に関連付けられた画像が前記画像記憶部により複数記憶されている場合には、当該複数の画像を、所定個数ずつ順次表示し、または、同時に表示する表示方法、を設定することを特徴とする。
【００１８】
請求項１０に記載の画像表示方法は、他の通信装置との通信時に、通信相手に対応する画像を表示部に表示する画像表示装置における画像表示方法であって、画像を取得する画像取得工程と、前記通信相手を特定するための固有情報を少なくとも一つ記憶する固有情報記憶部から当該固有情報を取得する固有情報取得工程と、前記画像取得工程により取得された画像を解析して、当該画像に含まれる情報の発信者を示す発信者情報を検出する発信者検出工程と、前記固有情報取得工程により取得された固有情報と前記発信者検出工程により検出された前記発信者情報とを照合して、一致するか否かを判定する判定工程と、前記判定工程により一致すると判定された固有情報と、前記発信者情報が検出された前記画像の少なくとも一部とを関連付けて画像記憶部に記憶する記憶工程と、前記画像を表示する表示方法を設定する表示方法設定工程と、前記他の通信装置との通信時に、前記通信相手に対応する、少なくとも一つの前記固有情報を取得する通信時固有情報取得工程と、前記通信時固有情報取得工程により取得された前記固有情報に関連付けられた画像を前記画像記憶部から取得する関連画像取得工程と、前記表示方法設定工程により設定された表示方法に基づいて、前記関連画像取得工程により取得された画像の表示制御を行う表示制御工程と、を含むことを特徴とする。
【００１９】
請求項１１に記載の画像表示用プログラムは、コンピュータを、請求項１乃至９の何れか一項に記載の画像表示装置における各手段として機能させることを特徴とする。
【発明の効果】
【００２０】
請求項１、１０、１１に記載の発明によれば、取得した画像から検出される発信者情報に基づいて、当該画像を固有情報と関連付けて記憶することから、ユーザは面倒な登録作業を要することなく表示部に表示させる画像を容易に追加することができる。よって、多くの画像を関連付けたり、新しい画像をすぐに追加できるので、通信時に通信相手に関連する様々な画像が表示され、ユーザは画像に飽きることなく通信を行うことができる。
【００２１】
請求項２に記載の発明によれば、発信者情報を表示している部分を非表示とすることから、ユーザは追加した画像における発信者情報を表示している部分以外の見たい部分を鑑賞しながら通信を行うことができる。
【００２２】
請求項３に記載の発明によれば、発信者情報を表示している部分を削除した画像を表示することから、ユーザは追加した画像における発信者情報を表示している部分以外の見たい部分を鑑賞しながら通信を行うことができる。
【００２３】
請求項４に記載の発明によれば、取得した画像から発信者情報を表示している部分を削除した画像を記憶することから、取得した画像をそのまま記憶する場合と比較して画像データ容量を節約することができ、より多くの画像を画像記憶部に保管することができる。
【００２４】
請求項５に記載の発明によれば、取得した画像が複数のページで構成される画像である場合に、発信者情報を表示しているページを削除した発信者部分削除画像を表示することから、ユーザは追加した画像における発信者情報を表示している部分以外の見たい部分を鑑賞しながら通信を行うことができる。
【００２５】
請求項６に記載の発明によれば、発信者情報を表示している部分を削除した画像が表示画面に拡大して表示されることから、発信者情報を表示している部分を削除せずにそのまま表示する場合と比較して、ユーザは追加した画像における発信者情報を表示している部分以外の見たい部分を大きく見ることができる。
【００２６】
請求項７に記載の発明によれば、取得した画像から検出される発信者情報に対応する固有情報が存在しない場合であっても、新規に固有情報を作成し、画像を当該固有情報と関連付けて記憶することから、ユーザは表示部に表示させる画像を容易に追加することができる。
【００２７】
請求項８に記載の発明によれば、取得した画像から複数の発信者情報が検出され、対応する固有情報が存在しない発信者情報が含まれる場合であっても、新規に固有情報を作成し、画像を当該固有情報と関連付けて記憶することから、ユーザは表示部に表示させる画像を容易に追加することができる。
【００２８】
請求項９に記載の発明によれば、通信相手に対応する固有情報に関連付けられた画像が複数存在する場合には、当該複数の画像が、所定個数ずつ順次表示され、または、同時に表示されることから、ユーザは表示部に表示される画像に飽きることなく、通信を行うことができる。
【図面の簡単な説明】
【００２９】
【図１】一実施形態に係る電話機の概要構成例を示す図である。
【図２】一実施形態におけるアドレス帳データベース２１２を構成するＡＤＤ−ＴＢＬに登録される情報の内容の一例を示す図である。
【図３】一実施形態における画像データベース２１１を構成するＰＩＣ−ＴＢＬ１に登録される情報の内容の一例を示す図である。
【図４】一実施形態における画像データベース２１１を構成するＰＩＣ−ＴＢＬ２に登録される情報の内容の一例を示す図である。
【図５】一実施形態における登録画像データ、及び登録画像データの表示例を示す図である。
【図６】一実施形態に係る電話機１における制御部１２により実行される画像登録処理の一例を示すフローチャートである。
【図７】一実施形態に係る電話機１における制御部１２により実行される通信時処理の一例を示すフローチャートである。
【図８】一実施形態に係る電話機１における制御部１２により実行される登録画像表示処理の一例を示すフローチャートである。
【発明を実施するための形態】
【００３０】
以下、本発明の実施形態を図面に基づいて説明する。なお、以下に説明する実施の形態は、電話機に対して本発明を適用した場合の実施形態である。
【００３１】
［１．電話機の構成及び機能］
始めに、図１等を参照して、本実施形態に係る電話機１の構成及び機能について説明する。図１は、本実施形態に係る電話機１の概要構成例を示す図である。
【００３２】
電話機１は、アドレス帳に登録された者（以下、「登録者」という）に対してその人物の写真等の画像データを関連付けて登録しておくと、登録者への発信及び登録者からの着信の際に、その人物に関連付けられた画像データ（以下、「登録画像データ」という）に基づく画像（以下、「登録画像」という）をモニタ１８に表示する。また、電話機１は、画像データを取得する際には、電話機１のユーザに対して送付された葉書等を電子化した画像データ、又は電話機１のユーザに対して送付された画像データを、当該画像データに基づく画像に含まれる情報の発信者を示す発信者情報を基に、当該画像データをアドレス帳の登録者と関連付けて記憶する。更に、電話機１は、登録画像データに基づいて画像をモニタ１８に表示する際には、取得した画像データに基づく画像に含まれる発信者情報を非表示（表示しないよう）にする。
【００３３】
なお、本実施形態において、葉書等とは、例えば、賀状、クリスマスカード、名刺、チラシ広告などである。また、発信者とは、葉書等を電子化した画像データに含まれる情報の発信者のことであり、例えば、賀状やクリスマスカード又は名刺などを電子化した画像データであれば、当該賀状やクリスマスカード又は名刺などの差出人となる。また、チラシ広告を電子化した画像データであれば、当該チラシ広告の広告主が発信者となる。また、発信者情報とは、発信者に関する情報であり、例えば、発信者の名称、電話番号、郵便番号、住所、ｆａｘ番号、ｅ−ｍａｉｌアドレス等である。一方、葉書等を電子化した画像データにおいて当該葉書等の受取人を受信者という。また、受信者情報とは、受信者に関する情報であり、例えば、受信者の名称、電話番号、郵便番号、住所、ｆａｘ番号、ｅ−ｍａｉｌアドレス等である。
【００３４】
図１に示すように、電話機１は、マイク１０、スピーカ１１、文字認識部２０（発信者検出手段の一例）を有する制御部１２（画像取得手段、固有情報取得手段、発信者検出手段、判定手段、記憶手段、表示方法設定手段、通信時固有情報取得手段、関連画像取得手段、表示制御手段、判断手段、削除画像作成手段、作成手段の一例）、電話通信Ｉ／Ｆ１３、ｆａｘ通信Ｉ／Ｆ２３（画像取得手段の一例）、メモリカードＩ／Ｆ１４（画像取得手段の一例）、ＵＳＢＩ／Ｆ１５（画像取得手段の一例）、個人照合処理部１６、呼出音発生部１７、液晶表示パネル等からなるモニタ１８、表示制御部１９（表示制御手段の一例）、不揮発性半導体メモリやハードディスク等からなる記憶部２１（固有情報記憶部、画像記憶部の一例）、及び複数の操作ボタンを備える操作部２２等を備えている。なお、マイク１０及びスピーカ１１は、図示しない送受話器に備えられる。
【００３５】
呼出音発生部１７は、電話機器３から送信された呼出信号を受信すると、制御部１２の指示に応じて、呼出音をスピーカ１１から発生させる。
【００３６】
表示制御部１９は、制御部１２からの指示に基づきモニタ１８の表示を制御する。
【００３７】
記憶部２１は、複数の画像データを記憶する。例えば、記憶部２１は、葉書等を電子化して画像データを作成するスキャナー４からＵＳＢ（Universal Serial Bus）Ｉ／Ｆ１５を介して取得された画像データを記憶する。あるいは、画像データを記憶したメモリカード（ＳＤ（Secure Digital）メモリカードやマルチメディアカード等）２からメモリカードＩ／Ｆ１４を介して取得された画像データを記憶する。更に、ｆａｘ機器５から電話回線Ｃ及びｆａｘ通信Ｉ／Ｆ２３を介して受信した画像データを記憶する。なお、本実施形態においては、電話機１はスキャナー装置を有さないが、スキャナー装置を備える構成として、当該スキャナー装置で電子化した画像データを記憶部２１に記憶する構成としてもよい。
【００３８】
また、記憶部２１には、ユーザの電話相手となることが予想される者（登録者）の属性情報を登録するためのアドレス帳データベース２１２と、取得された画像データを登録者と関連付けて登録するための画像データベース２１１と、が構築されている。
【００３９】
図２は、アドレス帳データベース２１２を構成するＡＤＤ−ＴＢＬの内容の一例を示す図である。図２に示すように、ＡＤＤ−ＴＢＬには、属性情報として、登録者の電話番号、登録者の識別情報としての登録ＩＤ、登録者の名前、登録者の郵便番号及び住所等が、登録者毎に対応付けて登録されている。登録ＩＤを除くこれらの属性情報は、ユーザが設定することもでき、また、取得された画像データに基づく画像に含まれる発信者情報を基に電話機１が設定することもできる。
【００４０】
図３は、画像データベース２１１を構成するＰＩＣ−ＴＢＬ１の内容の一例を示す図であり、図４は、画像データベース２１１を構成するＰＩＣ−ＴＢＬ２の内容の一例を示す図である。
【００４１】
図３に示すように、ＰＩＣ−ＴＢＬ１には、複数の登録画像データが、登録ＩＤに関連付けられるとともに、当該登録ＩＤ毎に登録画像ＩＤを付されて登録されている。例えば、図３の例では、登録ＩＤ「０」で識別される登録者と、登録画像データであるＤＳＣ−２０００（登録画像ＩＤ：１）及びＤＳＣ−２００１（登録画像ＩＤ：２）とが関連付けて画像データベース２１１に記憶されていることを示す。登録画像データは、関連付けられた登録ＩＤの示す登録者との通話の際において、表示対象となる。
【００４２】
また、図４に示すように、ＰＩＣ−ＴＢＬ２には、登録ＩＤ及び登録画像ＩＤにより識別される登録画像データ毎に、当該登録画像データに基づく登録画像において発信者情報を表示している表示領域（以下、「発信者情報表示領域」という）の位置及び範囲を特定するための発信者情報表示領域情報と、受信者（基本的には電話機１のユーザ）情報を表示している表示領域（以下、「受信者情報表示領域」という）の位置及び範囲を特定するための受信者情報表示領域情報と、が関連付けて登録されている。発信者情報表示領域や受信者情報表示領域は、登録画像データに基づく画像を表示する際に非表示となる（表示されない）領域である。
【００４３】
発信者情報表示領域情報及び受信者情報表示領域情報は、基準座標情報と領域指定座標情報とを含む。また、発信者情報表示領域情報及び受信者情報表示領域情報は、１つの画像にそれぞれ複数の発信者情報表示領域又は受信者情報表示領域が含まれる場合には、当該領域毎に基準座標情報と領域指定座標情報を持つ。これは、画像データに基づいて画像を表示する際に、後述する表示態様に応じて、非表示とする（表示しない）発信者情報表示領域や受信者情報表示領域を特定するためである。
【００４４】
基準座標情報は、登録画像の左下隅を原点（０、０）として、登録画像を正面から見て右方向にＸ軸、上方向にＹ軸を取った場合における、発信者情報表示領域の左下隅の座標（基準座標）を示す。領域指定座標情報は、発信者情報表示領域の範囲を、基準座標を基準とするＸ軸方向及びＹ軸方向への大きさ（[Ｘ軸方向の大きさ]×[Ｙ軸方向の大きさ]）によって示す。なお、本実施形態では、登録画像における発信者情報表示領域や受信者情報表示領域を特定するための情報として、基準座標情報と領域指定座標情報を用いたがこれは一例であって、他の公知の方法を用いて登録画像における発信者情報表示領域や受信者情報表示領域の位置及び範囲を特定することとしてもよい。
【００４５】
ここで、図５（ａ）を用いて発信者情報表示領域や受信者情報表示領域について説明する。図５（ａ）は、葉書の両面を電子化した画像データの一例を示す図である。画像データに基づく画像５０は、表面（宛名面）表示領域５１と裏面（文面）表示領域５２とを含む。表面（宛名面）表示領域５１は、受信者郵便番号表示領域５３や受信者名称／住所表示領域５４、切手表示領域５６、郵便番号表示領域５５を含む。また、裏面（文面）表示領域５２は、発信者情報表示領域５７を含む。このとき、受信者郵便番号表示領域５３や受信者名称／住所表示領域５４が受信者情報表示領域であり、郵便番号表示領域５５や発信者情報表示領域５７が発信者情報表示領域である。
【００４６】
なお、図５では葉書を電子化した画像データの例を示したが、名刺やチラシ広告を電子化した画像データの場合には、受信者情報が含まれないことが一般的であり、画像データに基づく画像における名称、住所、電話番号、ｆａｘ番号、ｅ−ｍａｉｌアドレスを表示している領域が発信者情報表示領域となる。
【００４７】
また、ＰＩＣ−ＴＢＬ１及びＰＩＣ−ＴＢＬ２は、画像データが画像データベース２１１に記憶される度に更新される。
【００４８】
記憶部２１には、電話機１のユーザ情報（電話番号、住所、名称、ｆａｘ番号、ｅ−ｍａｉｌアドレス等）がユーザにより登録され、画像データに含まれる電話番号、住所、名称、ｆａｘ番号、ｅ−ｍａｉｌアドレス等（以下、「電話番号等」という）の情報が、発信者情報又は受信者情報の何れであるかを区別する際に用いられる。
【００４９】
個人照合処理部１６は、電話相手の電話機器３から通知された発信電話番号と、アドレス帳データベース２１２に登録されている電話番号を照合することにより当該電話相手を特定する。
【００５０】
制御部１２は、主としてＣＰＵ（Central Processing Unit）により構成され、電話機１の全体的な機能を統括的に制御する。かかる制御に際して、制御部１２は、記憶部２１に記憶されている制御プログラムを読み出して各処理を実行し、当該記憶部２１に処理中の作業用ファイルを一時的に保持する。なお、制御プログラムは、例えば、メモリカード２等の記録媒体に記録され、メモリカードＩ／Ｆ１４を介して読み込まれるようにしても良いし、電話回線Ｃを介してインターネット上のサーバ装置等からダウンロードされるようにしても良い。
【００５１】
制御部１２は文字認識部２０を有し、文字認識部２０はスキャナー４等から取得した画像データに基づく画像におけるテキスト（文字）を公知技術であるＯＣＲ技術を用いて認識するとともに、テキストが表示されているテキスト部領域と、テキストが表示されていないピクチャー部領域とに区分けする。また、文字認識部２０は、区分けしたテキスト部領域に表示されているテキストのパターンから、電話番号等を示すテキストを抽出して、当該テキストを、当該テキストが表示されている領域の位置及び範囲を特定するためのテキスト部特定情報と共に出力する。更に、文字認識部２０は、区分けしたピクチャー部領域毎に、ピクチャー部領域の位置及び範囲を特定するためのピクチャー部特定情報を出力する。
【００５２】
制御部１２は、文字認識部２０が出力した電話番号等を示すテキストと、記憶部２１に登録されている電話機１のユーザ情報とを照合することによって、当該電話番号等が発信者情報であるか又は受信者情報であるかを判定し、当該判定に基づいて、発信者情報と受信者情報を特定する。具体的には、制御部１２は、電話機１のユーザ情報と一致した電話番号等を受信者情報と特定し、一致しない電話番号等を受信者情報と特定する。
【００５３】
また、制御部１２は、発信者情報表示領域に表示されている電話番号等に基づいて発信者がアドレス帳データベース２１２における登録者であるか否かをＡＤＤ−ＴＢＬに基づいて判定し、登録者である場合には対応する登録ＩＤと関連付けて、取得した画像データをＰＩＣ−ＴＢＬ１に追加登録する。一方、発信者が登録者でない場合には、当該発信者を新たな登録者としてアドレス帳データベース２１２に登録し、対応する登録ＩＤと関連付けて、取得した画像データをＰＩＣ−ＴＢＬ１に登録する。なお、制御部１２は、複数の発信者情報を特定した場合には、全ての当該発信者情報について、発信者がアドレス帳データベース２１２における登録者であるか否かを判定する。そして、制御部１２は、一致しない発信者情報があった場合には、当該発信者情報毎に、新規に当該発信者を新たな登録者としてアドレス帳データベース２１２に登録し、対応する登録ＩＤと関連付けて、取得した画像データをＰＩＣ−ＴＢＬ１に登録する。
【００５４】
また、制御部１２は、文字認識部２０が出力したテキスト部特定情報に基づいて、発信者情報表示領域及び受信者情報表示領域の位置及び範囲をそれぞれ特定する基準座標情報及び領域指定座標情報をＰＩＣ−ＴＢＬ２に登録する。図５（ａ）の例では受信者郵便番号表示領域５３と、受信者名称／住所表示領域５４との位置及び範囲を特定するための受信者情報表示領域情報を登録するとともに、発信者情報表示領域５７の位置及び範囲を特定するための発信者情報表示領域情報を登録する。
【００５５】
なお、制御部１２は、文字認識部２０が出力したピクチャー部特定情報により特定されるピクチャー部領域を参照し、図５（ａ）における切手表示領域５６及び郵便番号表示領域５５のような、画像データが葉書を電子化した画像データであることを示す要素があるか否かを判定する。制御部１２は、葉書であることを示す要素がある場合には、取得した画像データを、葉書を電子化した画像データであると判定し、ＰＩＣ−ＴＢＬ２を拡張して葉書判定情報及び不要情報表示領域情報（図示しない）を格納する領域を設け、それぞれ情報を格納する。例えば、図５（ａ）を例として挙げると、制御部１２は、葉書判定情報として画像データが葉書を電子化したものであることを示す情報を登録し、不要情報表示領域情報として切手表示領域５６及び郵便番号表示領域５５の位置及び範囲を特定するための情報を登録する。これにより、制御部１２は、当該画像データをモニタ１８に表示する場合に、後述する表示態様に応じて切手表示領域５６及び郵便番号表示領域５５を非表示とする（表示させない）ことができる。また、制御部１２は、表面（宛名面）表示領域５１の位置及び範囲を認識した場合に、更にＰＩＣ−ＴＢＬ２を拡張して表面表示領域情報（図示しない）を格納する領域を設け、当該表面表示領域情報として表面（宛名面）表示領域５１の位置及び範囲を特定する情報を格納する。これにより、制御部１２は、当該画像データをモニタ１８に表示する場合に、表示態様に応じて、ユーザ情報が記述された表面（宛名面）表示領域５１を非表示とする（表示させない）ことができる。
【００５６】
また、制御部１２は、発信者情報を含まない画像データが取得された場合には、当該画像データを何れの登録者（登録ＩＤ）と関連付けて記憶させるかをユーザに選択させ、当該選択された登録者（登録ＩＤ）と関連付けて当該画像データを登録するように、ＰＩＣ−ＴＢＬ１及びＰＩＣ−ＴＢＬ２を更新する。
【００５７】
他方、制御部１２は、電話通信Ｉ／Ｆ１３及び電話回線Ｃを介して、電話相手の電話機器３との間で通信を行ったり、ｆａｘ通信Ｉ／Ｆ２３及び電話回線Ｃを介して、相手のｆａｘ機器５との間で通信を行ったりする。例えば、制御部１２は、発信時において、ユーザによって操作部２２が操作されることによって、電話したい相手の電話番号がダイヤルされたり、電話したい相手として何れかの登録者が選択されると、電話したい相手の電話番号を認識し、当該電話番号を含む選択信号を電話通信Ｉ／Ｆ１３を介して送信する。そして、制御部１２は、電話通信Ｉ／Ｆ１３を介して応答信号を受信すると、通話状態に移行する。
【００５８】
また、制御部１２は、着信時において、電話回線ＣにおけるＬ１線及びＬ２線の極性反転を検出し、電話通信Ｉ／Ｆ１３を介して呼出信号を受信すると、呼出音発生部１７を制御して呼出音をスピーカ１１に出力させる。ここで、制御部１２は、呼出信号の前に相手の発信電話番号を受信した場合には、当該発信電話番号を制御部１２内のＲＡＭ（Random Access Memory）に記憶させる。そして、制御部１２は、ユーザが送受話器を持ち上げると（オフフック）、応答信号を電話通信Ｉ／Ｆ１３を介して送信し、通話状態に移行する。
【００５９】
通話状態おいて、制御部１２は、マイク１０により集音されたユーザの音声を取り込み、その音声信号を電話通信Ｉ／Ｆ１３及び電話回線Ｃを介して電話機器３に送信する一方、電話機器３から電話回線Ｃを介して送信されてきた音声信号（電話相手の音声信号）を電話通信Ｉ／Ｆ１３を介して受信し、当該音声信号をスピーカ１１に出力する。これにより、ユーザは電話相手と通話することができる。なお、電話機器３としては、据置型電話機、携帯電話機、ＩＰ電話機能を有するパソコン等が挙げられる。
【００６０】
また、制御部１２は、発信時及び着信時において、電話の相手となる者（電話機器３のユーザ）が登録者である場合には、当該登録者に関連付けられた登録画像データを検索する。具体的には、制御部１２は、アドレス帳データベース２１２のＡＤＤ−ＴＢＬ（図２）を参照して相手の電話番号（以下、「相手先番号」という）に対応する登録ＩＤを取得し、次いで、画像データベース２１１のＰＩＣ−ＴＢＬ１（図３）を参照して、当該取得した登録ＩＤに関連付けられた登録画像データを検索する。そして、制御部１２は、検索した電話相手の登録画像データに基づく画像を、所定の表示態様及び表示形式に従ってモニタ１８に表示させる。
【００６１】
ここで、図５（ａ）〜（ｄ）を用いて制御部１２が、登録画像データに基づいて画像をモニタ１８に表示させる場合の３つの表示態様を例に挙げて説明する。なお、表示態様及び後述する表示形式は、ユーザの指示に基づいて制御部１２が設定する。
【００６２】
第１の表示態様は、図５（ｂ）に示すように、受信者郵便番号表示領域５３、受信者名称／住所表示領域５４、郵便番号表示領域５５、切手表示領域５６及び発信者情報表示領域５７に対してマスク処理を施した画像６０を表示する態様である。制御部１２は、当該表示態様を設定している場合には、ＰＩＣ−ＴＢＬ２の発信者情報表示領域情報、受信者情報表示領域情報及び上述した不要情報表示領域情報に基づいて、受信者郵便番号表示領域５３、受信者名称／住所表示領域５４、郵便番号表示領域５５、切手表示領域５６及び発信者情報表示領域５７の位置及び範囲を特定し、当該領域にマスク処理を施した画像６０を作成し、表示する。
【００６３】
第２の表示態様は、図５（ｃ）に示すように、表面（宛名面）表示領域５１を削除するとともに、発信者情報表示領域５７に対してマスク処理を施した画像７０を表示する態様である。制御部１２は、当該表示態様を設定している場合には、ＰＩＣ−ＴＢＬ２の上述した表面表示領域情報及び発信者情報表示領域情報に基づいて、表面（宛名面）表示領域５１及び発信者情報表示領域５７の位置及び範囲を特定し、表面（宛名面）表示領域５１を削除する削除処理を施すとともに、発信者情報表示領域５７にマスク処理を施した画像７０を作成し、表示する。
【００６４】
第３の表示態様は、図５（ｄ）に示すように、表面（宛名面）表示領域５１を削除するとともに、裏面（文面）表示領域５２の発信者情報表示領域５７を削除した画像８０を表示する態様である。制御部１２は、当該表示態様を設定している場合には、ＰＩＣ−ＴＢＬ２の上述した表面表示領域情報及び発信者情報表示領域情報に基づいて、表面（宛名面）表示領域５１及び発信者情報表示領域５７の位置及び範囲を特定し、表面（宛名面）表示領域５１を削除する削除処理を施すとともに、発信者情報表示領域５７を削除する削除処理を施した画像８０を作成し、表示する。
【００６５】
なお、制御部１２は、表示態様に係るオプションとして、ユーザの指示に基づいて当該作成した画像をモニタ１８の表示画面の全面に拡大して表示させる拡大表示態様オプションを設定する。制御部１２は、拡大表示態様オプションを設定した場合には、発信者情報表示領域又は受信者情報表示領域を含む領域を削除した画像をモニタ１８の表示画面の全面に拡大して表示する。
【００６６】
また、制御部１２が登録画像データを検索した結果、複数の画像データが検索された場合の表示形式としては、スライドショー表示、マルチ表示等がある。スライドショー表示とは、複数の画像を所定時間間隔で１画像ずつ順次（あるいはランダムに）表示する形式である。また、マルチ表示とは、複数の画像を同時に表示させる形式のことである。これらの表示形式は、設定によりユーザの好みのものが選択できる。また、マルチ表示するためには画像の個数が多すぎる場合、あるいは、ユーザ設定により、画像を２個以上の所定個数ずつ順次表示しても良い。この表示形式は、スライドショー表示とマルチ表示とを組み合わせたものともいえる。また、１度の通話では検索された登録画像データの一部を表示することとして、通話毎にその通話中に表示した登録画像データに対応付けて前回の通話時に表示したことを示す前回表示情報を記憶しておき、次回の通話時には当該前回表示情報が対応付けられていない登録画像データを表示することとしてもよい。そして、制御部１２は、このような画像の表示を、画像データを検索してから回線を切断（通話終了）するまで継続する。なお、画像の表示は、通話開始前のみ行っても良いし、通話開始後にのみ行っても良い。
【００６７】
［２．電話機の動作］
次に、図６〜図８を参照して、本実施形態に係る電話機１の動作について説明する。図６は、本実施形態に係る電話機１における制御部１２により実行される画像登録処理の一例を示すフローチャートである。図７は、本実施形態に係る電話機１における制御部１２により実行される通信時処理の一例を示すフローチャートである。図８は、本実施形態に係る電話機１における制御部１２により実行される登録画像表示処理の一例を示すフローチャートである。
【００６８】
図６に示す画像登録処理は、例えば、スキャナー４からＵＳＢＩ／Ｆ１５を介して画像ファイルを取得するとき、又は、ｆａｘ機器５から電話回線Ｃ及びｆａｘ通信Ｉ／Ｆ２３を介して画像データを取得するとき、などに実行される処理である。制御部１２（文字認識部２０）は、画像データを取得すると（Ｓ１）、取得した画像データに基づく画像をテキスト部領域とピクチャー部領域とに区分けする（Ｓ２）。
【００６９】
次に、制御部１２は、受信者情報表示領域及び発信者情報表示領域を特定する（Ｓ３）。具体的には、制御部１２は、Ｓ２で区分けされたテキスト部領域に表示されている電話番号等を示すテキストと電話機１のユーザ情報とを照合することにより、テキスト部領域における発信者情報表示領域と受信者情報表示領域を特定する。
【００７０】
次に、制御部１２は、発信者情報表示領域に表示されている発信者情報とアドレス帳データベース２１２のＡＤＤ−ＴＢＬ（図２）とを照合する（Ｓ４）。制御部１２は、照合の結果、発信者が登録者として登録されているか否かを判別し（Ｓ５）、登録済みであると判別したときには（Ｓ５：ＹＥＳ）、Ｓ７の処理に移行し、一方、登録済みではないと判別したときには（Ｓ５：ＮＯ）、発信者情報に基づいて当該発信者を登録者としてアドレス帳データベース２１２のＡＤＤ−ＴＢＬ（図２）に新規登録し（Ｓ６）、Ｓ７の処理に移行する。
【００７１】
次いで、制御部１２は、Ｓ１で取得した画像データをアドレス帳データベース２１２と関連付けて記憶する（Ｓ７）。具体的には、制御部１２は、発信者（登録者）に対応する登録ＩＤに関連付けてＰＩＣ−ＴＢＬ１（図３）に、Ｓ１で取得した画像データを関連付けて登録する。また、制御部１２は、当該登録した登録画像データに基づく画像における発信者情報表示領域及び受信者情報表示領域を特定するための発信者情報表示領域情報及び受信者情報表示領域情報を、当該登録画像データに関連付けてＰＩＣ−ＴＢＬ２（図４）に登録する。なお、制御部１２は、取得した画像データが葉書を電子化したものであると判定した場合には、上述したように、ＰＩＣ−ＴＢＬ２を拡張して葉書判定情報、不要情報表示領域情報を格納する。また、制御部１２は、表面（宛名面）表示領域５１の位置及び範囲を認識した場合に、更にＰＩＣ−ＴＢＬ２を拡張して表面表示領域情報（図示しない）を格納する。制御部１２は、Ｓ７の処理を終えると画像登録処理を終了する。
【００７２】
なお、制御部１２は、Ｓ３で特定した発信者情報表示領域に表示されている発信者情報が、異なる複数の発信者に関する情報である場合には、各発信者に対応する発信者情報毎にＳ４からＳ７の処理を行う。
【００７３】
次に、図７を用いて通信時処理について説明する。通信時処理は、例えば、着信または発信が検出されたとき、つまり、制御部１２が電話回線Ｃを通じて呼出信号を受信したとき、または、ユーザによるダイヤル操作（又はユーザによるアドレス帳から登録者を選択する操作）によって電話番号が入力されたことが検出されたときに開始される。
【００７４】
先ず、制御部１２は、発信者または着信者としての相手を特定する（ステップＳ２１）。具体的に、制御部１２は、着信を検出した場合には、呼出信号の前に受信したモデム信号等に設定されている発信電話番号を相手先番号として取得する一方、発信を検出した場合には、ダイヤルされた電話番号を相手先番号として取得する。
【００７５】
次いで、制御部１２は、相手先番号に対応する登録画像データを検索する（ステップＳ２２）。具体的に、制御部１２は、相手先番号に対応する登録ＩＤに関連付けられた登録画像データを画像データベース２１１において検索する。例えば、相手先番号が「０４２−４５６−ＸＸＸＸ」であった場合には、図２に例示したＡＤＤ−ＴＢＬから登録ＩＤ「１」を取得し、当該登録ＩＤ「１」に基づいて、図３に例示したＰＩＣ−ＴＢＬ１から登録画像データとして「ＫＩＦ−００１１」、「ＫＩＦ−００１２」、「ＫＩＦ−００１３」を取得する。このとき、制御部１２が相手先番号に対応する登録画像データがあると判別したときには（ステップＳ２３：ＹＥＳ）、図８を用いて後述する登録画像表示処理を行い（Ｓ２４）、Ｓ２６の処理に移行する。一方、制御部１２は、相手先番号に対応する登録画像データがないと判別したときには（ステップＳ２３：ＮＯ）、電話時におけるデフォルト画面の表示を行い（Ｓ２５）、Ｓ２６の処理に移行する。
【００７６】
なお、制御部１２は、Ｓ２５の処理において、例えば、相手先番号と、アドレス帳データベース２１２に登録されている相手の名前等を画面に表示させる。また、制御部１２は、相手との通話が開始した後は、相手先番号及び名前に加えて、通話時間も画面に表示させる。更に、ユーザ設定等によってデフォルト画像が登録されても良く、この場合、制御部１２は、登録されているデフォルト画像も画面に表示させる。なお、発信電話番号が通知されなかった場合や、相手先番号がアドレス帳データベース２１２に登録されていない場合には、登録画像データを検索することができないので、制御部１２はデフォルト画面の表示を行う。但し、発信電話番号は通知されたが、相手先番号がアドレス帳データベース２１２に登録されていなかった場合には、名前は表示されず、電話番号の登録ボタンが表示される。ユーザは、この登録ボタンを選択することによって、相手先番号をアドレス帳データベース２１２中に追加登録することができる。
【００７７】
次いで、制御部１２は、回線が切断されたか否かを判定する（ステップＳ２６）。つまり、制御部１２は、ユーザによるオンフックを検出したか、または、電話回線Ｃを通じて切断信号を受信したか否かを判定する。このとき、制御部１２は、回線が切断されていない場合には（ステップＳ２６：ＮＯ）、引き続き回線の切断を監視し（ステップＳ２６）、回線が切断された場合には（ステップＳ２６：ＹＥＳ）、制御部１２が、画面表示をスタンバイ時の表示に戻し、通信時処理を終了する。なお、回線接続（通話開始）は、ステップＳ２１からステップＳ２６の直前まで間の何れかのタイミングで行われているものとする。
【００７８】
次に、図８を用いて登録画像表示処理について説明する。登録画像表示処理が開始すると、まず、制御部１２は、登録画像データに基づいて表示用画像データを作成する（Ｓ４１）。次いで、制御部１２は、ユーザにより設定された表示態様に基づいて、マスク処理が必要か否かを判別する（Ｓ４２）。このとき、制御部１２は、マスク処理が必要であると判別したときには（Ｓ４２：ＹＥＳ）、ＰＩＣ−ＴＢＬ２を参照して、発信者情報表示領域情報又は受信者情報表示領域情報に基づいて、表示用画像データの受信者情報表示領域や発信者情報表示領域に対してマスク処理を行い（Ｓ４３）、Ｓ４４の処理に移行する。例えば、制御部１２は、表示用画像データが登録ＩＤ「０」、登録画像ＩＤ「１」である登録画像データに基づくデータであって、発信者情報表示領域に対してマスク処理を行う必要のある表示態様（例えば、上述した第２の表示態様（図５（ｃ）参照））が設定されている場合には、図４に例示したＰＩＣ−ＴＢＬ２を参照して、発信者情報表示領域情報の基準座標情報（１０７，１０）及び領域指定座標情報「６０×１５」が示す領域に対してマスク処理を行う。一方、制御部１２は、マスク処理が必要ではないと判別したときには（Ｓ４２：ＮＯ）、Ｓ４４の処理に移行する。
【００７９】
次に、制御部１２は、ユーザにより設定された表示態様に基づいて、削除処理が必要か否かを判別する（Ｓ４４）。このとき、制御部１２は、削除処理が必要であると判別したときには（Ｓ４４：ＹＥＳ）、ＰＩＣ−ＴＢＬ２を参照して、発信者情報表示領域情報又は受信者情報表示領域情報に基づいて、表示用画像データの受信者情報表示領域や発信者情報表示領域を含む領域に対して削除処理を行い（Ｓ４５）、Ｓ４６の処理に移行する。例えば、表示用画像データが登録ＩＤ「０」、登録画像ＩＤ「１」である登録画像データに基づくデータであって、受信者情報表示領域に対して削除処理を行う必要のある表示態様（例えば、上述した第２の表示態様（図５（ｃ）参照））が設定されている場合には、図４に例示したＰＩＣ−ＴＢＬ２を参照して、受信者情報表示領域情報の基準座標情報（４０，３０）及び領域指定座標情報「５５×９５」が示す領域に対して削除処理を行う。一方、制御部１２は、削除処理が必要ではないと判別したときには（Ｓ４４：ＮＯ）、Ｓ４８の処理に移行する。
【００８０】
次に、制御部１２は、拡大表示態様オプションが設定されているか否かを判別する（Ｓ４６）。このとき、制御部１２は、拡大表示態様オプションが設定されていると判別したときには（Ｓ４６：ＹＥＳ）、表示用画像データに対して拡大処理を行い、（Ｓ４７）、Ｓ４８の処理に移行する。具体的には、制御部１２は、画像がモニタ１８の表示画面の全面に表示されるように拡大処理を行う。一方、制御部１２は、拡大表示態様オプションが設定されていないと判別したときには（Ｓ４６：ＮＯ）、Ｓ４８の処理に移行する。
【００８１】
次に、制御部１２は、Ｓ２２（図７）で検索した登録画像データは複数であったか否かを判別する（Ｓ４８）。このとき、制御部１２は、登録画像データは複数ではなかったと判別したときには（Ｓ４８：ＮＯ）、表示用画像データをモニタ１８に表示させ（Ｓ４９）、登録画像表示処理を終了する。一方、制御部１２は、登録画像データは複数であったと判別したときには（Ｓ４８：ＹＥＳ）、設定された表示形式（スライドショー表示形式やマルチ表示形式）に基づいて複数の表示用画像データをモニタ１８に表示させ（Ｓ５０）、登録画像表示処理を終了する。
【００８２】
以上説明したように、本実施形態の電話機１は、制御部１２が、取得した画像データを解析して、当該画像データに基づく画像に含まれる情報の発信者を示す発信者情報を検出し、ＡＤＤ−ＴＢＬの属性情報と当該発信者情報とを照合して、一致するか否かを判定し、一致すると判定した属性情報に対応する登録ＩＤと、取得した画像データの少なくとも一部とを関連付けて記憶部２１に記憶する。また、制御部１２は、ユーザの指示に基づいて表示方法（表示態様及び表示形式）を設定し、他の通信装置との通信時に、通信相手に対応する、少なくとも一つの登録ＩＤを取得し、当該取得した登録ＩＤに関連付けられた画像データを記憶部２１から取得し、上記設定した表示方法に基づいて、当該取得した画像の表示制御を行う。したがって、当該電話機１によれば、取得した画像データに基づく画像から検出される発信者情報に基づいて、当該画像データを登録ＩＤと関連付けて記憶することから、ユーザは面倒な登録作業を要することなくモニタ１８に表示させる画像データを容易に追加することができる。よって、新しい画像データが多く追加されやすく、通信時に通信相手に関連する様々な画像が表示され、ユーザは画像に飽きることなく通信を行うことができる。
【００８３】
また、本実施形態の電話機１は、制御部１２がユーザの指示に基づいて発信者情報表示領域を非表示とする表示態様を設定する。したがって、当該電話機１によれば、発信者情報を表示している部分を非表示とすることから、ユーザは追加した画像における発信者情報を表示している部分以外の見たい部分を鑑賞しながら通信を行うことができる。
【００８４】
更に、本実施形態の電話機１は、制御部１２が発信者情報表示領域を削除した画像を作成し、ユーザの指示に基づいて当該作成した画像を表示する表示態様（図５（ｃ）、（ｄ）参照）を設定する。したがって、当該電話機１によれば、発信者情報を表示している部分を削除した画像を表示することから、ユーザは追加した画像における発信者情報を表示している部分以外の見たい部分を鑑賞しながら通信を行うことができる。
【００８５】
更にまた、本実施形態の電話機１は、制御部１２がユーザの指示に基づいて発信者情報表示領域を含む領域を削除した画像をモニタ１８の表示画面の全面に拡大して表示させる拡大表示態様オプションを設定する。したがって、当該電話機１によれば、発信者情報表示領域を削除した画像が表示画面に拡大して表示されることから、発信者情報表示領域を削除せずにそのまま表示する場合と比較して、ユーザが発信者情報表示領域以外の部分を大きく見ることができる。
【００８６】
更にまた、本実施形態の電話機１は、制御部１２がＡＤＤ−ＴＢＬの属性情報と発信者情報とを照合した結果、一致しないと判定した場合に、発信者情報に基づいて新規に登録者としてアドレス帳データベース２１２に登録し、対応する登録ＩＤと関連付けて、取得した画像データをＰＩＣ−ＴＢＬ１に登録する。したがって、当該電話機１によれば、取得した画像データから検出される発信者情報に対応するＡＤＤ−ＴＢＬにおける属性情報（登録ＩＤ等）が存在しない場合であっても、新規に属性情報を登録し、画像データを当該属性情報と関連付けて記憶することから、ユーザはモニタ１８に表示させる画像を容易に追加することができる。
【００８７】
更にまた、本実施形態の電話機１は、制御部１２が複数の発信者情報を特定した場合には、全ての当該発信者情報について、発信者がアドレス帳データベース２１２における登録者であるか否かを判定し、一致しない発信者情報があった場合には、当該発信者情報毎に、新規に当該発信者を新たな登録者としてアドレス帳データベース２１２に登録して、対応する登録ＩＤと関連付けて、取得した画像データをＰＩＣ−ＴＢＬ１に登録する。したがって、当該電話機１によれば、取得した画像に複数の発信者情報が含まれ、対応する属性情報（登録ＩＤ）が存在しない発信者情報が含まれる場合であっても、新規に属性情報を作成し、取得した画像データを当該属性情報と関連付けて記憶することから、ユーザはモニタ１８に表示させる画像を容易に追加することができる。
【００８８】
更にまた、本実施形態の電話機１は、制御部１２がユーザの指示に基づいて表示形式としてスライドショー表示形式又はマルチ表示形式を設定する。したがって、当該電話機１によれば、通信相手に対応する登録ＩＤに関連付けられた画像データが複数存在する場合には、当該複数の画像データに基づく画像が、所定個数ずつ順次表示され、または、同時に表示されることから、ユーザはモニタ１８に表示される画像に飽きることなく、通信を行うことができる。
【００８９】
なお、本実施形態によれば、図５（ｃ）、（ｄ）を用いて説明した表示態様とする場合には、Ｓ４５の処理において、表面（宛名面）を削除する処理や、発信者情報表示領域を削除する処理を施した画像を作成し、当該作成した画像を表示する構成となっているが、予め表示態様が設定されている場合には、当該表示態様に従って画像データに基づく画像における不要な部分を削除した画像データを作成し、当該作成した画像データを画像データベース２１１に登録する構成としてもよい。例えば、予め表示態様が図５（ｃ）を用いて説明した表示態様と定められている場合には、取得した画像データに基づく画像における表面（宛名面）を削除した画像データを作成して、記憶部２１に登録する構成としてもよい。また、予め表示態様が図５（ｄ）を用いて説明した表示態様と定められている場合には、取得した画像データに基づく画像における表面（宛名面）及び発信者情報表示領域を削除した画像データを作成して、記憶部２１に登録する構成としてもよい。当該構成により、記憶部２１に記憶する登録画像データの大きさを、取得した画像データそのものよりも小さくすることができ、取得した画像データをそのまま記憶する場合と比較して画像のデータ容量を節約することができ、より多くの枚数の画像を記憶部２１に記憶させることができる。
【００９０】
また、制御部１２（判断手段の一例）が、取得された画像データに基づく画像が複数のページで構成された画像であるか否かを判断し、複数のページで構成された画像であると判断した場合に、当該画像における発信者情報表示領域を含むページを削除した画像データを作成し、また、ユーザの指示に基づいて当該作成した画像データを表示する表示態様を設定する構成としてもよい。例えば、図５（ａ）に示した画像５０のように発信者情報表示領域５７が裏面（文面）表示領域５２内に存在するのではなく、表面（宛名面）表示領域５１の何れかの領域に存在する場合には、表面（宛名面）表示領域５１を削除した画像を作成し、これを表示する構成とする。当該構成によれば、取得した画像が複数のページで構成される画像である場合に、発信者情報を表示しているページを削除した画像が表示されることから、ユーザは追加した画像における発信者情報を表示している部分以外の部分を鑑賞しながら通信を行うことができる。更に、制御部１２が、拡大表示態様オプションを設定した場合には、発信者情報表示領域を含むページを削除した画像をモニタ１８の表示画面の全面に拡大して表示する構成としてもよい。当該構成によれば、発信者情報表示領域を含むページを削除した画像が表示画面に拡大して表示されることから、発信者情報表示領域を含むページを削除せずにそのまま表示する場合と比較して、ユーザが発信者情報表示領域を含むページ以外の部分を大きく見ることができる。更にまた、予め当該表示態様が設定されている場合には、取得した画像データに基づく画像における発信者情報表示領域を含むページを削除した画像データを作成して、記憶部２１に登録する構成とすることによって、記憶部２１の記憶容量を節約する構成としてもよい。
【００９１】
更にまた、上述した制御部１２による処理に相当するプログラムをフレキシブルディスク又はハードディスク等の情報記録媒体に記録しておき、これらのプログラムを、他の通信装置との通信時に、通信相手に対応する画像を表示部に表示する電話機に含まれるコンピュータで読み出して実行することにより、当該コンピュータを上記実施形態における電話機内の制御部１２として活用することもできる。
【００９２】
更にまた、本実施形態の電話機１は一体に構成されているが、機能単位で複数に分離、例えば、モニタ１８を分離して構成したり、記憶部２１を分離して構成したり、などをしても良い。
【符号の説明】
【００９３】
１  電話機
２  メモリカード
３  電話機器
４  スキャナー
５  ｆａｘ機器
１０  マイク
１１  スピーカ
１２  制御部
１３  電話通信Ｉ／Ｆ
１４  メモリカードＩ／Ｆ
１５  ＵＳＢＩ／Ｆ
１６  個人照合処理部
１７  呼出音発生部
１８  モニタ
１９  表示制御部
２０  文字認識部
２１  記憶部
２２  操作部
２３  ｆａｘ通信Ｉ／Ｆ
２１１  画像データベース
２１２  アドレス帳データベース
【図１】
2010263569.tif 000003
【図２】
2010263569.tif 000004
【図３】
2010263569.tif 000005
【図４】
2010263569.tif 000006
【図５】
2010263569.tif 000007
【図６】
2010263569.tif 000008
【図７】
2010263569.tif 000009
【図８】
2010263569.tif 000010